(57)【要約】      （修正有）【課題】水耕栽培棚から容易に定植板を取り出すことができると共に、定植板上の植物を傷めたり、定植板上の植物から液肥が滴って周りを汚したりすることのない定植板の取出機構を提供する。【解決手段】水耕栽培棚１において、液肥を貯留させた液肥槽１１上に配設されている定植板２を持ち上げ、定植板２を水耕栽培棚１から取り出すための定植板２の取出機構３であって、定植板２の端部下方において、水耕栽培棚１のフレーム１２に回動可能に固定されたヒンジ軸と、一端がヒンジ軸に取り付けられ、他端がヒンジ軸に連動してヒンジ軸回りに回動する回動片と、を備え、回動片は、ヒンジ軸の回動に伴って、他端を定植板２の下面に当接させながら、定植板２の端部を持ち上げる。【選択図】図２
2020195392.tif 000002
【特許請求の範囲】
【請求項１】
水耕栽培棚において、液肥槽上に配設されている定植板を持ち上げ、当該定植板を当該水耕栽培棚から取り出すための定植板の取出機構であって、
上記液肥槽の下方に配設されるヒンジ軸と、
一端が上記ヒンジ軸に取り付けられる回動片と、
を備え、
上記液肥槽は互いに間隙を空けて複数並設され、上記回動片の他端は、上記ヒンジ軸の回動に伴って当該間隙から上方へ向かって突出し、当該他端を上記定植板の下面に当接させながら、上記定植板を持ち上げ、上記定植板の下面側に隙間を形成する、
定植板の取出機構。
【請求項２】
請求項１記載の定植板の取出機構において上記定植板を載置する液肥受パンであって、
互いに間隙を空けて複数並設される個別受パンと、
複数の上記個別受パンの一端同士を固定するブラケットと、
を備え、
上記個別受パンは、上記液肥槽と同じ幅および深さを有し、複数並設された上記液肥槽の間隙に対応する間隙を空けて並設される、
液肥受パン。
【発明の詳細な説明】
【技術分野】
【０００１】
本発明は、水耕栽培棚から定植板を容易に取り出す技術に関する。
【背景技術】
【０００２】
食用、鑑賞用などの各種の植物の栽培においては、クリーンルーム等の屋内に複数の棚や段を設置し、当該棚や段により、植物を高密度で生産するシステムが利用されている。このようなシステムでは、特に固形培地を必要としない水耕栽培法が広く活用されており、植物の病害、汚染の防除や成長制御が容易であり、周年生産が可能というメリットがある。
【０００３】
特許文献１、２に示されるように、水耕栽培を行う水耕栽培棚は通常、液肥を貯留させた栽培槽と定植板を備えており、栽培槽上に定植板を配設し、当該定植板に設けられている植穴に生育する植物の苗を植え付ける。そして、植物が生育したところで、水耕栽培棚から定植板ごと植物を取り出し、定植板上の植物を摘み取る。
【０００４】
【特許文献１】特開２０１２−２２３１２０号公報
【特許文献２】特開平１０−２７１９２５号公報
【発明の開示】
【発明が解決しようとする課題】
【０００５】
上述のとおり、植物の収穫の際には、水耕栽培棚から定植板ごと生育した植物を取り出すが、植物が生育した段階では重くなっており、取り出すのが容易でない。また、とりわけ商業用の植物については、水耕栽培棚から定植板ごと植物を取り出す際に、植物を傷めることがないようしなければならない。さらに、定植板に植わっている植物の根は液肥に浸っているため、定植板を取り出す際、植物の根を伝って液肥が滴り、水耕栽培棚１が設置されている施設の床面や、水耕栽培棚から取り出した定植板を載置する収穫ラックや他の定植板上の植物を汚してしまうことがある。
【０００６】
そこで本発明は、水耕栽培棚から容易に定植板を取り出すことができると共に、定植板上の植物を傷めたり、定植板上の植物から液肥が滴って周りを汚したりすることのない定植板の取出機構を提供することを目的とする。
【課題を解決するための手段】
【０００７】
上記目的を達成するため、本発明に係る定植板の取出機構は、水耕栽培棚において、液肥を貯留させた液肥槽上に配設されている定植板を持ち上げ、当該定植板を当該水耕栽培棚から取り出すための定植板の取出機構であって、上記定植板の端部下方において、上記水耕栽培棚のフレームに回動可能に固定されたヒンジ軸と、一端が上記ヒンジ軸に取り付けられ、他端が当該ヒンジ軸に連動して当該ヒンジ軸回りに回動する回動片と、を備え、上記回動片は、上記ヒンジ軸の回動に伴って、上記他端を上記定植板の下面に当接させながら、上記定植板の端部を持ち上げる。
【０００８】
また、複数の液肥層が互いに僅かな間隙を空けて併設されている上記水耕栽培棚において、上記ヒンジ軸は上記液肥層の下方に設けられ、上記回動片の他端は、上記ヒンジ軸の回動に伴って上記間隙から上方へ向かって突出し、上記定植板の下面に当接するものとしてもよい。
【発明の効果】
【０００９】
本発明に係る定植板の取出機構によれば、水耕栽培棚から容易に定植板を取り出すことができる。また、取り出しの際に定植板上の植物を傷めることもないし、定植板上の植物から液肥が滴って周りを汚すのを防ぐことができる。
【図面の簡単な説明】
【００１０】
【図１】本発明の実施形態に係る定植板の取出機構を備えた水耕栽培棚を示した外観斜視図である。
【図２】本実施形態に係る定植板の取出機構により、水耕栽培棚から定植板が取り出される際の状態を示した部分拡大図である。
【図３】本実施形態に係る定植板の取出機構を示した外観斜視図である。
【図４】本実施形態に係る定植板の取出機構を示した外観斜視図である。
【図５】本実施形態に係る定植板の取出機構において、水耕栽培棚から定植板を取り出す際に用いられる液肥受パンを示した外観斜視図である。
【図６】本実施形態に係る定植板の取出機構において、取出機構の動作を説明する側面図である。
【図７】本実施形態に係る定植板の取出機構において、取出機構の動作を説明する側面図である。
【発明を実施するための形態】
【００１１】
本発明の実施形態に係る定植板の取出機構について、図を参照して説明する。
図１及び図２に示されるように、本実施形態に係る定植板の取出機構３は、水耕栽培棚１から、生育した植物が植わっている定植板２を取り出し、収穫ラック４に置くための機構である。
【００１２】
水耕栽培棚１は、植物を栽培するための棚である。
この水耕栽培棚１には、上下方向に複数段、植物を生育させるための定植板２を載置するスペースが設けられている。各段の内部には、図２に示されるように、液肥を貯留させる液肥槽１１が取り付けられている。また、水耕栽培棚１の一端側は、生育した植物が植わっている定植板２を取り出すための取出口となり、当該取出口近傍には定植板２の取出機構３が設けられている。
【００１３】
液肥槽１１は、上方に開口すると共に両端が閉じた略半筒形状からなり、定植板２の取出方向に長さを有する。この液肥槽１１は、水耕栽培棚１の幅方向に複数、並設され、植物を生育させる定植板２が上面に配設される。
なお、水耕栽培棚１の段ごとに設置されている複数の液肥槽１１は夫々、隣接する液肥槽１１と僅かな間隙と設けて並設されている。これにより、定植板２が取出機構３によって水耕栽培棚１から取り出される際、隣接する液肥槽１１間の間隙から、液肥槽１１の下方に設置されている取出機構３の回動片３２（図４を参照して後述）は上方へ突出し、液肥槽１１上に配設されている定植板２を下面側から持ち上げることができる。
【００１４】
定植板２は、植物の苗等を植える植穴２ａが複数設けられた平板状の部材である。この定植板２は、水耕栽培棚１の段ごとに複数、取出方向に沿って並設される。
また、定植板２は液肥槽１１の上面に配設され、植穴２ａに植え付けられた植物は、下方に根を伸ばして液肥槽１１に貯留させられている液肥から養分を吸収する。
【００１５】
取出機構３は、液肥槽１１上に配設されている定植板２を下面側から持ち上げて、水耕栽培棚１から定植板２を取り出すための機構である。
この取出機構３は、図３に示されるように、ヒンジ軸３１、回動片３２、把手３３、ブラケット３４、及び固定金具３５からなる。
【００１６】
ヒンジ軸３１は、定植板２の取出方向に直交する向きであって、定植板２の幅方向と平行な向きに長さを有する。このヒンジ軸３１は図２に示されるように、定植板２の下方において、ブラケット３４を介し、水耕栽培棚１のフレーム１２に回動可能に固定されている。
【００１７】
回動片３２は、一端にヒンジ軸３１が取り付けられた舌片状の部材である。この回動片３２は、本実施形態では、ヒンジ軸３１の両端部近傍と中央付近に設けられており、図３及び図４に示されるように、ヒンジ軸３１の回動に連動して、ヒンジ軸３１周りに回動する。
【００１８】
この回動片３２がヒンジ軸３１の回動に連動して回動すると、液肥槽１１の両端の外側、及び隣接する液肥槽１１同士の間の間隙から上方へ突出し、端部を定植板２の下面に当接させながら、定植板２を持ち上げる。
【００１９】
なお、本実施形態では、回動片３２の一端部にヒンジ軸３１を貫通させる軸孔が設けられており、当該軸孔にヒンジ軸３１が貫通すると共に、回動片３２がヒンジ軸３１に固定されているが、これに限らず、ヒンジ軸３１に連動してヒンジ軸３１周りに回動片３２が回動すれば、他の構造によって固定されていてもよい。
【００２０】
また、本実施形態においては、回動片３２は舌片状からなるが、これに限らず、棒状等にしてもよく、一定の長さを有し、一端がヒンジ軸３１に固定されると共に、他端がヒンジ軸３１の回動に応じてヒンジ軸３１の軸周りに回動するものであればよい。
また、本実施形態を示す図においては、回動片３２は三つ取り付けられているが、本発明の実施において、回動片３２の数は特に限定されない。
【００２１】
把手３３は、ヒンジ軸３１の端部に取り付けられており、一端にヒンジ軸３１の端部が固着される略棒状の把手片３３１と、把手片３３１の端部に取り付けられた握持部３３２からなる。
この把手３３の握持部３３２を握持してヒンジ軸３１を回すことで、ヒンジ軸３１に連動する回動片３２を回動させることができる。
【００２２】
ブラケット３４は図２に示されるように、水耕栽培棚１のフレーム１２に取り付けられる部材であって、一端部には、ヒンジ軸３１が回動可能に取り付けられる。本実施形態においては、ブラケット３４は、ヒンジ軸３１の一端側と他端側に設けられており、ヒンジ軸３１はこの一対のブラケット３４を介して、水耕栽培棚１に回動可能に取り付けられている。
【００２３】
固定金具３５は、ヒンジ軸３１と略同じ長さを有する略板状の部材であって、一端が一のブラケット３４に取り付けられると共に、他端が他のブラケット３４に取り付けられている。この固定金具３５が一対のブラケット３４を連結することにより、取付機構３のぐらつきを防ぐことができる。
【００２４】
なお、本実施形態の説明においては一部、図示を省略しているが、この水耕栽培棚１は適宜、植物の栽培に必要な光の照射機構、液肥の供給機構や排水機構等を有する。また、本発明の実施において、水耕栽培棚１で栽培する植物は食用、鑑賞用など、特に限定されない。
【００２５】
収穫ラック４は、定植板２上で植物が十分に生育した際に、水耕栽培棚１から取り出した定植板２を載置するためのラックである。
この収穫ラック４には、水耕栽培棚１の段組みに応じて上下に複数段、定植板２を載置するための段が設けられており、各段には、定植板２を載置するためのトレイ４１が取り付けられている。
【００２６】
トレイ４１は、平面視矩形状からなると共に底面の周縁部が立ち上がった容器形状からなる。このトレイ４１のサイズは、定植板２あるいは後述する液肥受パン５と同じかこれらよりも僅かに大きく、底面上に液肥受パン５ごと定植板２を載置することができる。そして、トレイ４１の上面に定植板２が載置された際、定植板２上の植物の根を伝って滴り落ちてくる液肥を受ける。
【００２７】
このような構成からなる水耕栽培棚１から定植板２を取り出し、収穫ラック４に移動させる際には、図５に示される液肥受パン５が用いられる。
液肥受パン５は、上面側に定植板２が載置される部材であって、定植板２に植わっている植物の根を伝って滴る液肥を受けるものである。この液肥受パン５は、並設された複数の個別受パン５１と、当該複数の個別受パン５１を固定するブラケット５２からなる。
【００２８】
個別受パン５１は、両端及び上面が開口した略半筒形状からなる部材である。この個別受パン５１は、液肥槽１１と略同じ幅と深さを有し、複数並設された液肥槽１１に対応して、複数並設されている。これにより、取出機構３によって定植板２を持ち上げ、定植板２の下面に液肥受パン５を挿し込んだ際、各個別受パン５１が各液肥槽１１に重畳するように重なる。そして、定植板２の植物から滴った液肥は、個別受パン５１を流れ落ちるとそのまま液肥槽１１に排出される。
【００２９】
続いて、水耕栽培棚１から定植板２が取り出される工程について説明する。
まず、図６に示されるように、回動片３２が定植板２の下方にあって、定植板２に当接していない状態から、把手３３によってヒンジ軸３１を回動させる。これによってまず、ヒンジ軸３１に連動する回動片３２が液肥槽１１の上方へ突出し、定植板２の取出方向の端部近傍の下面に当接する。それからさらに回動させることで、図７に示されるように、回動片３２が定植板２の下面に当接しながら、定植板２を上方に持ち上げる。
【００３０】
定植板２が上方に持ち上げられると、定植板２の下面側に液肥受パン５を挿入可能な間隙が設けられ、この状態で液肥受パン５を挿し込み、液肥受パン５上に定植板２を載置させる。
この状態において、定植板２の植物の根を伝って滴る液肥は、液肥受パン５によって受けられると共に、液肥受パン５を介して液肥槽１１に排出される。
【００３１】
そして、図１及び図２に示されるように、水耕栽培棚１の取出口に収穫ラック４を寄せ付け、液肥受パン５上に載置された定植板２を、液肥受パン５ごと収穫ラック４のトレイ４１上に引き出すと、定植板２の取り出しが完了する。
トレイ４１上においては、植物の根から滴る液肥はトレイ４１によって受けられ、収穫ラック４に収穫された下段の植物等を汚すことはない。
【００３２】
本実施形態に係る定植板の取出機構３によれば、水耕栽培棚１から容易に定植板２を取り出すことができる。また、取り出しの際に定植板２上の植物を傷めることもないし、定植板２上の植物から液肥が滴って周りを汚すのを防ぐことができる。
【符号の説明】
【００３３】
１      水耕栽培棚
１１    液肥槽
１２    フレーム
２      定植板
２ａ    植穴
３      取出機構
３１    ヒンジ軸
３２    回動片
３３    把手
３３１  把手片
３３２  握持部
３４    ブラケット
３５    固定金具
４      収穫ラック
４１    トレイ
５      液肥受パン
５１    個別受パン
５２    ブラケット
【図１】
2020195392.tif 000003
【図２】
2020195392.tif 000004
【図３】
2020195392.tif 000005
【図４】
2020195392.tif 000006
【図５】
2020195392.tif 000007
【図６】
2020195392.tif 000008
【図７】
2020195392.tif 000009